(57)【要約】  頚椎骨プレートは、本頚椎プレートを椎骨に取り付けたのち頚椎の骨グラフト区域へのアクセス又はその視認を可能にするグラフト窓を含む。窓は、必ずしもではないが好ましくは、特にそのような装置の連邦規格に関してプレート強度を損なうことなくグラフト区域及び／又は椎体を最大に露呈させるサイズである。窓はプレートの中央に設けられ、プレートの椎骨固着具又はスクリュー孔の基部で、椎骨へのプレートの整合を提供するサイズである。この頚椎骨プレートの可動形態では、グラフト窓は、椎骨への取り付けののち、可動型プレートの拡張及び収縮に対して拡張及び収縮する（すなわち「可動」）。もう一つの形態で、３部品可動型骨プレートは、中間部品がその両端で同一の末端部品を受けるように設計されている。末端部品は１８０°転換可能な部品である。中間部品及び末端部品は、中間部品と末端部品との間の滑動を許す、係合構造及び相補的に成形された溝を有する。２支柱構造が中央の窓を提供する。
2007515258.tif 000002
【特許請求の範囲】
【請求項１】
本体と、
本体の一端に設けられた骨スクリュー孔の第一の対と、
本体のもう一端に設けられた骨スクリュー孔の第二の対と、
骨スクリュー孔の第一の対と第二の対との間に設けられたグラフト窓と
を含む頚椎プレート。
【請求項２】
グラフト窓が、骨スクリュー孔の第一の対から骨スクリュー孔の第二の対まで延びている、請求項１記載の頚椎プレート。
【請求項３】
各骨スクリュー孔が、その中に配置された骨スクリューヘッドを回転捕捉し、可変性スクリュー角度設定を可能にするように設計された棚状物を含む、請求項１記載の頚椎プレート。
【請求項４】
スクリュー角度設定が、頭側〜尾側で３０°まで及び正中〜側面側で２０°までを含む、請求項３記載の頚椎プレート。
【請求項５】
グラフト窓が長楕円形である、請求項１記載の頚椎プレート。
【請求項６】
グラフト窓が円形である、請求項１記載の頚椎プレート。
【請求項７】
グラフト窓が楕円形である、請求項１記載の頚椎プレート。
【請求項８】
グラフト窓が涙形である、請求項１記載の頚椎プレート。
【請求項９】
本体中、骨スクリュー孔の第一の対の間に設けられた第一のボス孔と、
本体中、骨スクリュー孔の第二の対の間に設けられた第二のボス孔と
をさらに含み、第一及び第二のボス孔のそれぞれ一つが、骨スクリュー固定手段のボスを受けるように適合されている、請求項１記載の頚椎プレート。
【請求項１０】
グラフト窓が第一及び第二のボス孔の間に延びている、請求項９記載の頚椎プレート。
【請求項１１】
グラフト窓が、骨スクリュー孔の第一及び第二の対を支持する両端の間に延びる２本のアームを画定する、請求項１記載の頚椎プレート。
【請求項１２】
本体が、本体の中間部分の、骨スクリュー孔の第一の対と第二の対との間にある骨スクリュー孔の第三の対ならびに骨スクリュー孔の第三の対と骨スクリュー孔の第一及び第二の対のいずれか一方との間にある第二のグラフト窓を有する、請求項１記載の頚椎プレート。
【請求項１３】
二つの面で湾曲を有する、請求項１記載の頚椎プレート。
【請求項１４】
平坦である、請求項１記載の頚椎プレート。
【請求項１５】
中心の突出部及び二つの外向きのプロングを有する本体を含み、
中心の突出部が、頚椎プレートの骨スクリュー孔の対の間の中心孔に収まるように設計された少なくとも一つの頚椎プレート係合部を有するものであり、
二つの外向きプロングが、頚椎プレートに収まった骨スクリューの対のそれぞれの骨スクリュー駆動ソケットと係合し、骨スクリュー駆動ソケットとで締まり嵌めを形成して骨スクリューを保持し、その回転を阻止するように適合されたものである骨スクリュー保持装置。
【請求項１６】
二つの外向きの突出部が、頚椎プレートに収まった骨スクリューの骨スクリュー駆動ソケットの浅い切り込みと係合するように適合されている、請求項１５記載の骨スクリュー保持装置。
【請求項１７】
中心の突出部が、頚椎プレート中の骨スクリュー孔の対の間の中心孔に解放自在に収まるように設計されている、請求項１５記載の骨スクリュー保持装置。
【請求項１８】
本体が、生体適合性チタン、チタン合金、他の金属の合金、ＰＥＥＫ又は別の生体適合性材料の一つから形成されている、請求項１４記載の骨スクリュー孔。
【請求項１９】
生体適合性チタン、チタン合金、他の金属合金、ＰＥＥＫ又は別の生体適合性材料のいずれか一つので形成された本体を含み、
本体が、頚椎プレート中の骨スクリュー孔の対の間のそれぞれの中心孔と係合するように設計された多数の突出部を有する平坦なプレートを画定するものであり、
平坦なプレートが、頚椎プレートの上面及び頚椎プレートの骨スクリュー孔のそれぞれ一つの少なくとも一部と係合するように設計されたものである骨スクリュー保持装置。
【請求項２０】
第一の部品端に位置する骨スクリュー孔の第一の対及び第一の部品端から延びる成形脚部の第一の対を有する第一の部品と、
第二の部品端に位置する骨スクリュー孔の第二の対及び第二の部品端から延びる成形脚部の第二の対を有する第二の部品と
を含み、成形脚部の第一及び第二の対が、第一の部品端と第二の部品端との間に、非拘束滑動的相互接続性を示して骨スクリュー孔の第一の対と第二の対との間に変化する距離を提供するグラフト窓を画定するものであり、
脚部の第一の対と第二の対との間にグラフト窓が画定されている可動型頚椎プレート。
【請求項２１】
成形脚部の第一及び第二の対に対応し、第一及び第二の部品の分解を防ぐように設計された停止手段をさらに含む、請求項２０記載の可動型頚椎プレート。
【請求項２２】
第一の対の脚部の一方が、その中に設けられた第一の成形通路を有し、第一の対の脚部の他方が、第一の成形通路に受けられるように設計されており、第二の対の脚部の一方が、その中に設けられた第二の成形通路を有し、第二の対の脚部の他方が、第二の成形通路に受けられるように設計されている、請求項２０記載の可動型頚椎プレート。
【請求項２３】
第一の部品と第二の部品とが同一である、請求項２２記載の可動型頚椎プレート。
【請求項２４】
第一の部品の成形脚部の第一の対が、第二の部品の成形脚部からの突出部を受けるように適合されている、請求項２２記載の可動型頚椎プレート。
【請求項２５】
第一の部品が、成形脚部の第二の対の一方の成形脚部からの突出部を受けるように設けられた成形脚部の第一の対の一方の成形脚部及び成形脚部の第一の対のもう一方の成形脚部からの突出部を受けるように設けられた成形脚部の第二の対の他方の成形脚部を含む、請求項２２記載の可動型頚椎プレート。
【請求項２６】
第二の部品の成形脚部の第二の対が、第一の部品の成形脚部からの突出部を受けるように適合されている、請求項２２記載の可動型頚椎プレート。
【請求項２７】
脚部の第一の対の各脚部が、その中に設けられた成形通路を有し、脚部の第二の対の各脚部が、脚部の第一の対によって受けられるように設計されている、請求項２０記載の可動型頚椎プレート。
【請求項２８】
二つの面で湾曲を有する、請求項２０記載の可動型頚椎プレート。
【請求項２９】
平坦である、請求項２０記載の可動型頚椎プレート。
【請求項３０】
骨スクリュー孔の第一の対及び延展する脚部の第一の対を有する第一のプレート部品と、
骨スクリュー孔の第二の対及び延展する脚部の第二の対を有する第二のプレート部品と、
骨スクリュー孔の第三の対、一端から延び、第一のプレート部品の脚部の第一の対とで非拘束滑動的相互接続性を示す脚部の第三の対及びもう一端から延び、第二のプレート部品の脚部の第二の対とで非拘束滑動的相互接続性を示す脚部の第四の対を有する中間プレート部品と、
骨スクリュー孔の各対の間に画定されたグラフト窓と
を含む可動型２椎間レベル頚椎プレート。
【請求項３１】
脚部の第一及び第三の対が、第一の部品と中間部品との間に第一のグラフト窓を形成し、脚部の第二及び第四の対が、第二の部品と中間部品との間に第二のグラフト窓を形成する、請求項３０記載の可動型２椎間レベル頚椎プレート。
【請求項３２】
脚部の第一の対と第二の対とが非拘束滑動的同軸相互接続性を示す、請求項３０記載の可動型２椎間レベル頚椎プレート。
【請求項３３】
窓が長楕円形である、請求項３０記載の可動型２椎間レベル頚椎プレート。
【請求項３４】
窓が円形である、請求項３０記載の可動型２椎間レベル頚椎プレート。
【請求項３５】
窓が楕円形である、請求項３０記載の可動型２椎間レベル頚椎プレート。
【請求項３６】
窓が涙形である、請求項３０記載の可動型２椎間レベル頚椎プレート。
【請求項３７】
第一の部品と第二の部品とが同一である、請求項３０記載の可動型２椎間レベル頚椎プレート。
【請求項３８】
二つの面で湾曲を有する、請求項３０記載の可動型頚椎プレート。
【請求項３９】
平坦である、請求項３０記載の可動型頚椎プレート。
【請求項４０】
骨スクリュー孔の第一の対及び延展する成形脚部の第一の対を有する第一の末端プレート部品を含み、
骨スクリュー孔の第二の対及び延展する成形脚部の第二の対を有する第二の末端プレート部品を含み、
骨スクリュー孔の中間対ならびに第三及び第四の反対方向に延びる成形脚部をそれぞれが有する２個以上の中間プレート部品を含み、第一の末端プレート部品の延展する成形脚部の第一の対が、２個以上の中間プレート部品の第一の部品の第三及び第四の延展する成形脚部のいずれか一方とで非拘束滑動的相互接続性を示し、第二のプレート部品の延展する成形脚部の第二の対が、２個以上の中間プレート部品の第二の部品の第三及び第四の延展する成形脚部のいずれか一方とで非拘束滑動的相互接続性を示し、第一及び第二の中間プレートが、第三及び第四の延展する成形脚部の他方との間で非拘束滑動的相互接続性を示すか、残りの中間プレート部品との第三及び第四の延展する成形脚部との間で非拘束滑動的相互接続性を示し、さらに
骨スクリューの各対の間に画定されたグラフト窓を含む可動型多椎間レベル頚椎プレート。
【請求項４１】
椎間レベルごとにグラフト窓が設けられている、請求項４０記載の可動型多椎間レベル頚椎プレート。
【請求項４２】
脚部がすべて非拘束滑動的同軸相互接続性を示す、請求項４０記載の可動型多椎間レベル頚椎プレート。
【請求項４３】
窓が長楕円形である、請求項４０記載の可動型多椎間レベル頚椎プレート。
【請求項４４】
窓が円形である、請求項４０記載の可動型多椎間レベル頚椎プレート。
【請求項４５】
窓が楕円形である、請求項４０記載の可動型多椎間レベル頚椎プレート。
【請求項４６】
グラフト窓が涙形である、請求項４０記載の可動型多椎間レベル頚椎プレート。
【請求項４７】
第一の末端プレート部品と第二の末端プレート部品とが同一である、請求項４０記載の可動型多椎間レベル頚椎プレート。
【請求項４８】
中間プレート部品が同じである、請求項４０記載の可動型頚椎プレート。
【請求項４９】
中間プレート部品がその本体の面を中心に１８０°回転させても同じである、請求項４０記載の可動型頚椎プレート。
【請求項５０】
末端プレート部品がその本体の面を中心に１８０°回転させても同じである、請求項４０記載の可動型頚椎プレート。
【請求項５１】
二つの面で湾曲を有する、請求項４０記載の可動型頚椎プレート。
【請求項５２】
平坦である、請求項４０記載の可動型頚椎プレート。
【請求項５３】
Ｎ椎間レベル内部可動型頚椎プレートを組み立てるためのキットであって、
骨スクリュー孔の対及び成形末端プレート突出部の対をそれぞれが有する少なくとも２個の末端プレート部品と、
骨スクリュー孔の対及び反対方向に延びる成形中間プレート突出部の二つの対をそれぞれが有する複数の中間プレート部品と
を含み、反対方向に延びる成形中間プレート突出部の各対が、成形末端プレート突出部の各対とで非拘束滑動的相互接続性を示すように適合され、各中間プレート部品が、互いに非拘束滑動的相互接続性を示すように適合されており、
骨スクリュー孔の各対の間にグラフト窓が画定されているキット。
【請求項５４】
末端プレート部品及び中間プレート部品が骨スクリュー孔の各対の間にグラフト窓を形成する、請求項５３記載のキット。
【請求項５５】
グラフト窓が長楕円形である、請求項５４記載のキット。
【請求項５６】
グラフト窓が円形である、請求項５４記載のキット。
【請求項５７】
グラフト窓が楕円形である、請求項５４記載のキット。
【請求項５８】
窓が涙形である、請求項５４記載のキット。
【請求項５９】
末端プレート部品が同一である、請求項５３記載のキット。
【請求項６０】
中間プレート部品が同一である、請求項５３記載のキット。
【請求項６１】
中間プレート部品がその本体の面を中心に１８０°回転させても同じである、請求項５３記載のキット。
【請求項６２】
末端プレート部品がその本体の面を中心に１８０°回転させても同じである、請求項５３記載のキット。
【請求項６３】
患者の頚椎を動的に癒合させる方法であって、
（ａ）頚椎の区域へのアクセスを得るために患者に開創を設けるステップと、
（ｂ）隣接する椎体の間から少なくとも１個の椎間板を取り出すステップと、
（ｃ）椎間板を取り出したところの空間に装着するための骨グラフトをサイズ決めするステップと、
（ｄ）脊椎にインプラントする可動型頚椎プレート補てつ物を選択するステップと、
（ｅ）隣接する椎体の解剖学的定着を考慮して、選択した可動型プレートをサイズ決めするステップと、
（ｆ）サイズ決めした可動型プレートを、骨グラフトの上から隣接する錐体に配置するステップと、
（ｇ）正しい装着のために可動型プレートの窓を介してグラフトを見るステップと、
（ｈ）骨スクリューをプレート固定セグメント内の骨スクリュー孔に通して配置するステップと、
（ｉ）開創を閉じるステップと
を含む方法。
【請求項６４】
（ｊ）開創を閉じる前に骨スクリューの上に固定機構を装着するステップ
をさらに含む。請求項６３記載の方法。
【請求項６５】
頚椎を動的に癒合させる方法であって、
２個の末端セグメント及びＮ個の中間セグメントを有する内部可動Ｎ椎間レベル頚椎プレートを用意すること、及び、
用意した内部可動Ｎ椎間レベル頚椎プレートを患者の頚椎の頚椎体の前側部に取り付けること
を含み、２個の末端セグメントの互いに対する動きが、互いの中又は上で滑動する多数の突出部を使用して達成される方法。
【請求項６６】
１個以上の中間セグメントに対する２個の末端セグメントの動きが、互いの中又は上で滑動する多数の突出部を使用して達成される、請求項６５記載の方法。
【請求項６７】
Ｎ個の中間セグメントの互いに対する動きが、互いの中又は上で滑動する多数の突出部を使用して達成される、請求項６５記載の方法。
【請求項６８】
末端セグメントが１８０°置換可能である、請求項６５記載の方法。
【請求項６９】
末端セグメントが完全に置換可能である、請求項６５記載の方法。
【請求項７０】
中間セグメントが１８０°置換可能である、請求項６５記載の方法。
【請求項７１】
中間セグメントが完全に置換可能である、請求項６５記載の方法。
【請求項７２】
末端セグメント及び中間セグメントが１８０°置換可能である、請求項６５記載の方法。
【請求項７３】
末端セグメント及び中間セグメントが完全に置換可能である、請求項６５記載の方法。
【請求項７４】
末端セグメント及び中間セグメントが互いの動きから独立して動く、請求項６５記載の方法。
【請求項７５】
末端セグメント及び中間セグメントの動きが拘束されない、請求項６５記載の方法。
【請求項７６】
プレート部品がスナップ機構によって分離を阻止される、請求項６５記載の方法。
【発明の詳細な説明】
【技術分野】
【０００１】
本米国特許非仮出願は、内容全体を参照として本明細書に具体的に取り込む、２００３年１２月２２日出願の「Static and Dynamic Cervical Plate Construct」と題する米国特許仮出願第６０／５３１，６５７号の利益及び／又は優先権を主張する。
【０００２】
発明の背景
１．発明の分野
本発明は一般に、特に整形外科及び／又は神経外科の分野における脊椎の内部固定のための装置、たとえば椎骨を互いに対して固定して保持するための脊椎インプラントに関し、より具体的には、脊椎の骨どうしの相対動を安定化し、一時的又は永久的に固定化するための脊椎手術で使用するための固定型及び／又は可動型骨固定インプラントに関する。
【０００３】
２．背景情報
単一椎間レベル及び多椎間レベルの頚椎手術ののち頚部の安定性を高めるために頚椎プレートが２０年余にわたり使用されている。疾病、外傷、欠損、事故などの理由で手術の間に埋め込まれる頚椎プレートは、１個以上の頚椎の椎骨を安定化するために使用される。安定化が適切に治癒又は所望の結果に導く。頚椎プレートは、手術の間に１個以上の椎骨に取り付けられる。通常、頚椎プレートを１個以上の椎骨に取り付けるためにスクリューが使用される。取り付け過程の間、取り付けスクリューを受けるために頚椎プレートを椎骨上に正しく整合させることが重要である。
【０００４】
場合によっては、隣接する２個の椎骨の癒合を起こさせることが望ましい。これが当てはまる場合、医師は、頚椎に達する小さな切開を頚部の前面に施す。組織及び筋肉を収縮させて（拡げて）頚椎を正しいレベルで露呈させる。２個の椎骨の間の軟骨質又は椎間板を取り出し、骨表面を研磨して出血面を促進する。出血面からの血液は、骨が癒合するために望ましい。隣接する椎骨の間の空間に骨グラフトを詰める。そして、頚椎プレートを上下の椎骨にスクリューで留める。これが、頚椎を安定化させて癒合及び治癒を促進する。しかし、現在の頚椎プレートでは、ひとたび頚椎プレートがグラフト区域に固着されると、グラフト区域にアクセスする方法は、唯一、プレートを取り外すことである。そのうえ、現在の頚椎プレートでは、プレートを取り付ける前に骨グラフト材を用意する必要がある。
【０００５】
これまで、頚椎プレートは、決まった寸法を有するという点でほとんど例外なく固定型であった。特定の状況では、プレートが取り付けられた椎骨の間で移動又はわずかな動きを許すことが望ましいということがわかった。従来技術は、相対的に、可動型頚椎プレートを欠いている。
【０００６】
したがって、上記から、頚椎手術部位の骨グラフト区域へのアクセスを許す頚椎プレートが要望されることが明らかである。
【０００７】
したがって、上記から、可動型である頚椎プレートが要望されることが明らかである。
【０００８】
この要望及び他の要望は、本発明の原理の適用によって達成され、また、本明細書で示され、記載されるような一つ以上の様々な形態及び／又は構造として具現化される。
【０００９】
発明の概要
本発明の局面にしたがって、骨プレートは、椎骨に取り付けられたとき、典型的な椎骨の形状に適合するように成形されている。骨プレートは、一つの形態で、１個以上の椎骨に対して骨プレートを前面配置したとき、１個以上の椎骨の輪郭に適合するように成形されている。一つの実施態様では、骨プレートは二つの面で成形されている。
【００１０】
本発明のもう一つの局面にしたがって、頚椎骨プレートは、頚椎プレートを椎骨に取り付けたのち脊椎の骨グラフト区域へのアクセス又はその視認を許す開口又は窓を含む。窓は、必ずしもではないが好ましくは、特にそのような装置の連邦規格に関してプレート強度を損なうことなくグラフト区域及び／又は椎体を最大に露呈させるサイズである。窓はプレートの中央に設けられている。グラフト窓はまた、好ましくは、プレートの椎骨固着具又はスクリュー孔の基部で、椎骨へのプレートの整合を提供するサイズである。この頚椎骨プレートの可動形態では、グラフト窓は、椎骨への取り付けののち、可動型プレートの拡張及び収縮に対して拡張及び収縮する（すなわち「可動」）。
【００１１】
本発明の一つの形態で、３部品可動型骨プレートは、中間部品がその両端で同一の末端部品を受けるように設計されている。末端部品は、１８０°置換可能な部品であってもよい。中間部品及び末端部品は、中間部品と末端部品との間の滑動を許す、係合構造及び相補的に設計された通路を有する。２支柱構造が中央の窓を提供する。
【００１２】
同じく、本発明のもう一つの形態で、Ｎ椎間レベル可動型頚椎プレートを組み立てるためのキットが提供される。キットは、拡張部品及び２個の同一の末端部品を含む。末端部品は、互いに滑動的に組み付けられて、中央の窓を含む可動型１椎間レベル（１Ｌ）頚椎プレートを提供する。末端部品は、拡張部品の各端部に滑動的に組み付けられて、二つの中央の窓を椎間レベルごとに一つずつ含む可動型２椎間レベル（２Ｌ）頚椎プレートを提供する。そのうえ、拡張部品は、２個以上の拡張部品を互いに対して１８０°回転させて使用することもできるように設計されている。その場合、末端部品は、拡張部品の開放端に組み付けることができる。
【００１３】
本発明はまた、固定型プレートの場合には単一部品として形成され、可動型プレートの場合には２個以上の部分として形成されたプレートと、最低でも４個の骨スクリューと、頚椎プレートの椎間レベルに応じて１個以上の固定カバーとを含む頚椎プレート構造物を提供する。本頚椎プレートは、本明細書に記載し、説明する特徴を保有しながら、単一椎間レベルプレートとして形成することもできるし、多椎間レベルプレートとして形成することもできる。
【００１４】
本発明の原理による可動型プレートは、スクリューの位置決めに関する推測を行うことのない純粋な椎骨体平行移動を考慮している。可動型プレートは、１Ｌ設計で作ることもできるし、マルチＬ設計で作ることもできる。そのうえ、可動型プレートは、２本支柱型のプレート調節を使用する。一つの形態で、可動型プレートは、互いに対して１８０°に位置する２個の同一部分で形成されている。各部分は、２本の脚部を有し、その一方が、成形通路又は孔をその中に画定し、その他方が、通路に嵌合する同様な形のアームを有している。
【００１５】
本発明は、頚椎プレート処置技術に関する従来技術の教示に対して利点を提供する。本発明に伴う原理は、固定プレートをより高い精度で使用することを可能にする。これは、究極的に、確立された手法の効果を高めることができる。たとえば、本発明は、プレートの中央区域内に窓を提供する。これは、配置の間及び配置後にグラフト材を見ることを可能にする。これは、固定型及び可動型プレートの両方ならびに固定プレートのすべての椎間レベル（１Ｌ、ＭＬ）に関して２本支柱構造を使用することによって達成される。
【００１６】
いくつかの図面を通じて対応する参照符号が対応する部品を示す。図面は、本発明の様々な実施態様を表すが、図面は、必ずしも原寸に比例して描かれてはおらず、本発明をより良く例示し、説明するため、特定の特徴が誇張されている場合もある。また、本明細書に記載する例は、本発明の様々な実施態様を例示するものであるが、本発明の範囲を限定するものとは解釈されてはならない。
【００１７】
発明の詳細な説明
図１及び２を参照すると、全体を１００と指定する典型的な１椎間レベル（１Ｌ）固定型頚椎プレートが示され、そのうち、図１はプレート１００の横から見た斜視図であり、図２はプレート１００の底面図である。プレート１００は、頚椎プレートの製造で公知であるような適当な材料、たとえばチタン、チタン合金などでできた本体１０２を特徴とする。本体１０２は形状において一般に長方形であり、椎骨の生来の湾曲を模倣するため、その下面がわずかに湾曲している。このような湾曲は、一つ又は二つの面であることができる。本体１０２は、様々なサイズの椎骨に適応するよう、様々なサイズで製造することができる。
【００１８】
本体１０２は、開口、窓、空隙など１０４（以下、まとめて「窓」という）を、表面１０７によって画定された本体１０２の中間、中心又は中央部に有する。窓１０４は様々な形状で形成することができるが、窓は、本質的に、１Ｌプレート１００の端部１２１、１２３に位置する最も近い骨スクリュー孔１０６から隣接する骨スクリュー１０６まで延びることが好ましい。典型的なプレート１００では、窓１０４は、いくぶん長円な形状に形成されて、第一のピーク１１１及び第二のピーク１１３を画定している。以下さらに詳細に説明を展開するように、窓の細長さは、医師による椎骨へのプレート１００のより良い整合を考慮している。窓１０４そのものは、体内での本来の位置でプレートの後側部分へ骨グラフトが接することについて視覚化を提供する。開口１０４は、本体１０２の端部１２１と１２３との間に延びる、本体１０２への第一の脚部１０３ａ及び第二の脚部１０３ｂを画定する。開口１０４の長さ（ｌ）はその幅（ｗ）よりも長い。長さ（１）は、各スクリュー孔１０６の縁と縁との間を本質的にわたすように長円化又は延長されている。
【００１９】
窓／脚部構造は、たとえばねじれ又は撓みに対してプレートを補強するための「２本支柱」状支持基盤を第一の端部１２１と第二の端部１２３との間に形成する。窓１０４のサイズ及び形状（２本の脚部又は２本支柱構造を形成する）は、容易な骨スクリュー配置を提供し、及び／又は骨グラフトを見ることを可能にする。各脚部１０３ａ／１０３ｂは、必ずしもではないが好ましくは、同じ断面形状を有する。そのうえ、各脚部の断面形状は、必ずしもではないが好ましくは、両端１２１、１２３の間のその長さ全体で一貫している。さらには、脚部１０３ａ／１０３ｂは、プレート本体１０２全体と同じ高さプロフィールを有する。
【００２０】
端部１２１及び１２３はそれぞれ二つの骨スクリュー孔１０６を有し、それぞれが各端部の隅に設けられている。４個の骨スクリュー孔１０６は、必ずしもではないが好ましくは、長方形の頂点に対応するように整合されている。長方形は、必ずしもではないが好ましくは、長方形本体１０２の変倍したものである。変倍された長方形は、患者の椎骨にスクリュー孔を設けるためのパターンを形成する。端部１２１及び１２３はそれぞれ、切り込み１０９を画定する外郭を有する。各骨スクリュー孔１０６は、その一部が開口１０４の隣接部分に隣接するようにサイズ決め、構成及び／又は配置されている。
【００２１】
各骨スクリュー孔１０６は、その内部に形成された棚状部１０５を有する。棚状部１０５は、骨スクリューのヘッドの下面を捕らえるように設計されている。そのようなものとして、各棚状部１０５は、骨スクリューヘッドの下面の相補的形状に適応するよう、やや皿状である。各棚状部１０５はまた、挿入される骨スクリューが埋め込みの間に正しい向きを達成することができるよう、傾斜している。骨スクリュー孔１０６は、種々の骨スクリュー、たとえば固定角スクリュー、応急用スクリュー及び可変角スクリューを使用することができるように設計されており、スクリューの例は、親仮出願を介して本明細書に取り込まれる。そのうえ、孔／棚状部は、プレートを椎骨に固定又は取り付ける間に可変性の骨スクリュー角度を可能にする。このような角度は、頭側〜尾側で３０°であり、側面〜正中側で２０°である。
【００２２】
本体１０２はさらに、各端部１２１及び１２３の骨スクリュー孔の対１０６の近く（図ではそれらの間に示す）にそれぞれ位置する二つの孔１０８を含む。各孔１０８は、埋め込まれた骨スクリューの回転及び／又は後退を防ぐための、本明細書で記載するような骨スクリュー保持装置、カバープレート、保持クリップなどのボス又は固着装置／部を受けるように設計されている。
【００２３】
図３を参照すると、図１及び２の１Ｌ固定型頚椎プレート１００が、カバー、プレートなど１１０として具現化された骨スクリュー後退、回転制止装置及び／又は解放自在な固定機構の一つの実施態様とともに示されている。カバー１１０は、グラフト窓１０４及び埋め込まれた骨スクリューのヘッドの少なくとも一部を覆うようにプレート１００上に位置している。カバー１１０は、プレート１００とともに使用されて、１Ｌ固定型頚椎プレート構造物の実施態様を提供する。骨スクリューの使用によって、たとえば本明細書に記載する手順を経てプレート１００を埋め込んだのち、カバー１１０を本体１０２の上に配置することができる。このカバーが開口１０４及びスクリュー孔１０６の大部分を覆う。カバー１１０は本質的に平坦であり、したがって低いプロフィールを有する。
【００２４】
カバー１１０はさらに、窓１０４及び各骨スクリュー孔１０６の大部分（骨スクリューが装着された場合、そのヘッドの大部分になる）を取り囲む。これは、骨スクリューが後退及び／又は回転しないよう維持、保持又は解放自在に固定するのに役立つ。カバーはまた、術後に椎骨間空間からグラフトが外に移動する危険に対して保護を提供する。カバーはさらに、レントゲン写真による術後視覚化を考慮している。カバー１１０は、装着されたときプレート孔１０８へのスナップ嵌めを提供してカバー１１０がプレート１００上に保持されるように設計された２個のカバーボス１１２を含む。通常の使用がカバー１１０を本体１０２から分離させることはないが、簡単な器具によってカバー１１０を取り外すことができる。
【００２５】
カバー１１０は、骨スクリュー固定機構として１Ｌ固定型頚椎プレート１００とともに使用することができるカバーの典型的なタイプである。そのようなものとして、カバー１１０は、様々なサイズの頚椎プレート１１０に適応するよう、様々なサイズで製造することができる。カバー１１０はまた、プレート１００の材料のような生体適合性材料から作られる。プレート１００はまた、他のスタイルのカバーに適応することもできる。
【００２６】
図４は、図１の１Ｌ固定型頚椎プレート１００の代替カバー１１４（骨スクリュー固定機構及び／又はグラフト窓／区域カバー）を示す。カバー１１４は、プレート孔１０８にスナップ嵌めで受けられて、カバー１１４をプレート１００上に保持するように設計されている２個のボス１１６を含む。カバー１１４は、プレートの開口１０４を覆って脚部１０３ａの上から脚部１０３ｂの上まで、そして、本体１０２の各スクリュー孔１０６を越えて延びている。
【００２７】
この実施態様では、カバー１１４は、カバー１１４が装着されたとき開口１０４の中に延びるように開口１０４と同様な形状を有するくぼみ又は凹部１２０を含む。そのうえ、カバー１１４は、プレート１００の本体１０２の骨スクリュー孔１０６の１個の中に延びるようにそれぞれが設計されている４個のスクリュー孔のくぼみ又は凹部１１８を含む。カバー又はカバープレートは、合金、チタン、チタン合金、ＰＥＥＫ又は適当な生体適合性材料から形成することができる。
【００２８】
図１〜４のいずれも、プレート１００とともに使用されている骨スクリューを示すものではないが、プレート１００が、上記で取り込んだ対応する仮出願で記載されている種々のタイプの骨スクリューを使用することができるということが理解されよう。簡潔にいうと、プレート１００は、多軸骨スクリュー、固定骨スクリュー及び応急用骨スクリューを使用することができる。
【００２９】
次に図５〜７を参照すると、全体を１５０と指定する、１Ｌプレート１００を参照して説明したような２本支柱構造をレベルごとに組み込む２椎間レベル（２Ｌ）固定型頚椎プレートの典型的な実施態様が示されている。２Ｌプレートは、３個の椎骨の間をわたし、それらに固定されるように設計され、その固定接合部の間には本原理による中央窓が設けられている。窓は２本支柱構造によって形成されている。図６及び７に示すように、水平線（プレート１００の中心線を表す）に対して湾曲した矢印が、プレート１００が椎骨の湾曲を模倣した二つの湾曲面を示す。そのようなものとして、異なる湾曲を有する特定の長さ及び／又は厚さの頚椎プレートを製造することもできる。
【００３０】
プレート１５０は、中間部１６７、中間部１６７の片側の第一の端部１６６及び中間部１６７のもう一方の側の第二の端部１６８を有するものと見なすことができる本体１５２によって画定されている。中間部１６７は、３椎骨癒合の中央の椎骨に取り付けられるように適合された固定、取り付け又は装着部を画定する。端部１６６及び１６８もまた、３椎骨癒合の別々の外寄り椎骨に取り付けられるように適合された固定、取り付け又は装着部を画定する。そのようなものとして、１Ｌ固定型プレート１００に関して本明細書で記載した原理と合致して、固定型２Ｌプレート１５０は、二つの開口、窓、空隙など１５３及び１５５を、レベルごと又は各端部１６６、１６８と中間部１６７との間に１個ずつ含む。各窓１５３及び１５５は中央に位置して、脚部対（支柱）１６４ａ／１６４ｂ及び１６５ａ／１６５ｂを画定する。
【００３１】
開口１５３は、端部１６６と中間部１６７との間の区域の中間、中心又は中央部に設けられて、表面１５４によって画定されている。窓１５３は、典型的な方法では、端部１６６の各スクリュー孔１５７の一部に隣接するところ（端部１６６の受け孔１６０に隣接するところ）から中間部１６７の各スクリュー孔１６１の一部に隣接するところ（中間部１６７の受け孔１６０に隣接するところ）まで延びる細長い楕円として形成されている。
【００３２】
開口１５５は、端部１６８と中間部１６７との間の区域の中間、中心又は中央部に設けられて、表面１５６によって画定されている。窓１５５は、端部１６８の各スクリュー孔１５７の一部に隣接するところ（端部１６８の受け孔１６０に隣接するところ）から中間部１６７の各スクリュー孔１６１の一部に隣接するところ（中間部１６７の受け孔１６０に隣接するところ）まで延びる細長い楕円として形成されている。
【００３３】
開口１５３、１５５の細長さは、医師による手術及びその取り付けの間のプレート１５０の整合を考慮している。開口１５３、１５５（２本の脚部又は２本支柱構造を形成する）のサイズ及び形状は、容易な骨スクリュー配置を提供し、及び／又は骨グラフトを見ることを可能にする。
【００３４】
各脚部対１６４ａ／１６４ｂ及び１６５ａ／１６５ｂは、必ずしもではないが好ましくは、同じ断面形状を有する。同様に、各脚部１６４ａ／ｂ及び１６５ａ／ｂは、必ずしもではないが好ましくは、同じ断面形状を有する。そのうえ、各脚部の断面形状は、必ずしもではないが好ましくは、中間部１６７と端部１６６及び１６８との間のその長さ全体で一貫している。さらには、脚部１６４ａ／ｂ及び１６５ａ／ｂは、プレート本体１５２全体と同じ高さプロフィールを有する。
【００３５】
端部１６６及び１６８はそれぞれ二つの骨スクリュー孔１５７を有し、それぞれが各端部の隅に設けられ、少なくとも部分的に固定部を画定している。端部１６６及び１６８はそれぞれ、切り込みを画定する外郭を有する。各骨スクリュー孔１０６は、その一部が各開口１５３、１５５の隣接部分に隣接するようにサイズ決め、構成及び／又は配置されている。各骨スクリュー孔１５７は、その内部に形成された棚状部１５８を有する。各棚状部１５８は、骨スクリューのヘッドの下面を捕らえるように設計されている。そのようなものとして、各棚状部１５８は、骨スクリューヘッドの下面の相補的な形状に適応するよう、やや皿状である。各棚状部１５８はまた、挿入される骨スクリューが埋め込みの間に正しい向きを達成することができるよう、傾斜している。骨スクリュー孔１５７は、上記のような種々のタイプの骨スクリューを使用することができるように設計されている。さらに、骨スクリュー孔１５７は、種々のタイプの骨スクリュー、たとえば固定角スクリュー、応急用スクリュー及び可変角スクリューを使用することができるように設計されており、スクリューの例は、親仮出願を介して本明細書に取り込まれる。そのうえ、孔／棚状部は、プレートを椎骨に固定又は取り付ける間に、可変性の骨スクリュー角を可能にする。ここでもまた、このような角度は、頭側〜尾側で３０°であり、側面〜正中側で２０°である。
【００３６】
中間部１６７はまた、他のスクリュー孔と同様な方法でスクリュー孔の対として設けられた、少なくとも部分的に固定部を画定する二つの骨スクリュー孔１６１を有する。各骨スクリュー孔１６１は、その一部が開口１５３、１５５の隣接部分に隣接するようにサイズ決め、構成及び／又は配置されている。各骨スクリュー孔１６１は、その内部の周囲に形成された棚状部１６２を有する。各棚状部１６２は、骨スクリューのヘッドの下面を捕らえるように設計されている。そのようなものとして、各棚状部１５８は、骨スクリューヘッドの下面の相補的な形状に適応するよう、やや皿状である。各棚状部１５８はまた、埋め込みの間に正しい向きを達成するため、挿入される骨スクリューをかなり直線的に受けるように設計されている。骨スクリュー孔１６１は、上記のような種々のタイプの骨スクリューを使用することができるように設計されている。
【００３７】
本体１５２はさらに、各端部１６６及び１６８の骨スクリュー孔対１５７の間に１個ずつ位置する二つの孔１６０を含む。さらなる同様な孔１６０が中間部１６７に設けられている。各孔１６０は、骨スクリュー保持装置、カバープレート、保持クリップなどのボス又は固着部を受けるように設計されている。
【００３８】
図８を参照すると、典型的な２Ｌ固定型頚椎プレート構造物１５９が示されている。２Ｌ固定型頚椎プレート構造物１５９は、２Ｌ固定型頚椎プレート１５０、骨スクリュー１８０及び骨スクリュー固定、保持具又は保持クリップ、タブなど１７０（クリップ）を含む。プレート１５０が様々な向きを許容することができることを説明するために、骨スクリュー１８０のいくつかがプレート１５０に対して様々な向きで示されている。構造物１５９は、スクリュー１８０の対、特に各本体部１６６、１６７、１６８のスクリューの対に対し、かつそれらの間に装着される解放自在の骨スクリュー固定手段、後退防止、保持具、保持クリップ又はタブ１７０を使用する。クリップ１７０はまた、プレート本体１５２にも装着される。クリップ１７０は、骨スクリューの後退又は回転を防止するのに役立ち、それにより、頚椎プレートへの骨スクリューの固定を提供する。
【００３９】
さらに図９を参照すると、クリップ１７０が示されている。わかりやすく示すため、クリップ１７０は拡大している。クリップ１７０は、生体適合性材料、必ずしもではないが好ましくは、頚椎プレート及び／又はカバープレートと同じ材料で形成されている。クリップ１７０は、第一のプロング１７６をその一端に有し、第二のプロング１７８をその第二端に有し、さらにボス構造１７２を有する本体１７１によって画定されている。本体１７１は、プロング１７６及び１７８が骨スクリューヘッドの間の距離をわたすようにサイズ決めされている。ボス構造１７２は、本体１７１の下面から延びる支柱１７３によって画定されている。支柱は、リム１７４で終端し、一つ以上のスロット１７５を含む。支柱１７３は、プレート１５０の本体１５２のクリップ支柱（ボス）孔１６０（及び本明細書に記載する他のプレートにおける他のそのように設けられた孔）に受けられて、それにより、クリップ１７０をプレート１５０に解放自在に保持又は固定するように設計されている。
【００４０】
各プロング１７６、１７８は、骨スクリューヘッドソケットに受けられるように適合されている。クリップ１７０の使用は、図示する固定型２Ｌプレートに限定されず、固定型１Ｌプレート、固定型多椎間レベルプレート及びすべての椎間レベルの可動型プレートとで使用することができることが理解されよう。骨スクリューヘッドの間の距離は様々なサイズのプレートごとに異なるため、クリップ１７０は、様々なサイズのプレートとで使用されるために、様々なサイズで用意されている。クリップ１７０はまた、プレート１５０に対して比較的平坦であるよう、低いプロフィール（厚み）を有する。
【００４１】
支柱１７３の直径は、受け孔が支柱を受けることができるよう、プレートの受け孔（たとえばプレート１５０の孔１６０）の直径よりもわずかに小さい。しかし、リム１７４は、プレートの受け孔に対して過大である直径を画定している。切欠き又はスロット１７５が、支柱１７３の端部がわずかに圧縮してリム１７４の有効直径を減らすることを可能にし、リム１７４を受け孔に通過させる。ひとたびリム１７４が受け孔に通されると、支柱１７３はその非圧縮状態に戻り、リム１７４の端部１７７がプレートの下面と接して、特殊な器具など用いずとも、クリップ１７０が受け孔から抜けることを防ぐ。このように、弾性のボス１７４は、解放自在ではあるが、適切なプレート孔にぴったりとスナップ嵌め又はプレス嵌めで受けられるように設計されている。
【００４２】
クリップ１７０とプレート１５０及び骨スクリュー対との相互作用は、図８で非常にわかりやすく見てとれ、特に、図８のプレート１５０の端部１６８が注目される。各骨スクリュー１８０はヘッド又はヘッド部１８１を有する。各ヘッド１８１は、その中に形成されたソケット１８２を有する。ソケット１８２は、必ずしもではないが好ましくは、多角形パターンに設計されている。他の構成を使用してもよい。多角形パターン（ソケット構造）の各コーナ１８２は、プロング１７６、１７８の端部の距離が二つの丸みのあるコーナ１８２に嵌り込むよう、丸みを帯びている。このようにして、プロング１７６及び１７８は骨スクリューを回転に対して固定する。そのうえ、クリップ１７０を装着された骨スクリュー対のいずれかの骨スクリューの回転がプレート１５０の平面でクリップをわずかに回転させて、それにより、クリップを互いに対して結合させる。クリップ１７０はまた、プレート１５０に対して解放自在に固定される。
【００４３】
クリップ１７０のボス１７２は孔１５７に配置されている（スナップ嵌めで受けられている）。一方のプロング１７６が上骨スクリュー１８０のヘッド１８１のソケット１８２の中に延び、他方のプロング１７８が下骨スクリュー１８０のヘッド１８１のソケット１８２の中に延びている。プロングはヘッドの多角形ソケットと相互作用してスクリューの回転を制する。第一及び第二の成形フランジ１７６、１７８は、骨スクリューヘッドソケットにプレス嵌め又はスナップ嵌めで受けられるように設計されている。
【００４４】
図１０は、全体を２００と指定する、本原理による可動型１Ｌ頚椎プレートの典型的な実施態様を示す。可動型１Ｌプレート２００は、可動型プレートを組み立て、接合する方法及び／又はそれが可動型である、又は可動化する方法をより良く示すため、分解形態で示されている。可動型１Ｌプレート２００は、組み合わされる、又はいっしょにされると開口、空隙又は窓１１７を提供する第一の部分２０２及び第二の部分２０４を特徴とする。開口１１７のサイズは、二つの部分２０２、２０４の互いに対する位置に依存して可変性である。各部分２０２、２０４は、取り付けられたとき滑動的に互いに嵌合して可動化を提供するＵ字形又は部分を画定する。この滑動は、ラチェットなどを用いなくとも様々な位置の間で滑らかに移行するよう、拘束されない。部分２０２、２０４それぞれは、椎骨ごとに１個の固定部を提供する。窓２１７は椎骨の間の区域を露呈させる。このような嵌合の構造は、図示するものから変更及び／又は逸脱してもよいことが理解されよう。
【００４５】
第一の部分２０２は、上記のような可変性の骨スクリュー角度設定のために、図示しないが、成形棚状部、たとえばプレート１５０の骨スクリュー孔１５７の成形棚状部１５８（たとえば図５を参照）を含むことができる二つの骨スクリュー孔２０６を支持する本体２０３を有する。第一の部分２０２はまた、第一及び第二の脚部２０８及び２１１を含む。第一の脚部２０８は、その中に延びる成形通路２０９を有する。第二の脚部２１１もまた、その中に延びる成形通路２１０を有する。必要ではないが、第一及び第二の通路２０９、２１０は、好ましくは同じ構造であり、装置を１８０°回転させても同じになるようなものであってもよい。
【００４６】
第二の部分２０４は、図示しないが、成形棚状部、たとえばプレート１５０の骨スクリュー孔１５７の成形棚状部１５８（たとえば図５を参照）を含むことができる二つの骨スクリュー孔２１８を支持する本体２０５を有する。第二の部分２０４はまた、第一及び第二の成形アーム２１４、２１６を含む。第一の成形アーム２１４は、通路２０９と同様な構造及び／又は寸法を有し、したがって、成形通路２０９の中に滑動的に受けることができる。第二の成形アーム２１６もまた、通路２１０と同様な構造及び／又は寸法を有し、したがって、成形通路２１１の中に滑動的に受けることができる。アーム２１４、２１６は、それぞれの通路２０９、２１１の中に完全に受けられて、脚部２０８、２１０の端部がアーム２１４、２１６の端部に接する長さである。このようにして、図１０の可動型１Ｌプレート２００は、二つの部分又は部品２０２、２０４の間で相対的な動きを提供する。
【００４７】
図１１を参照すると、全体を２３０と指定する、本発明の局面にしたがって形成された可動型２椎間レベル（２Ｌ）プレートの典型的な実施態様が示されている。可動型２Ｌプレート２３０は、可動型プレートを組み立て、接合する方法及び／又はそれが可動型である、又は可動化する方法をより良く示すため、分解形態で示されている。これはまた、中間プレート部品２５０をそれ自体とともに使用して、末端部品（すなわち、最初及び最後の椎骨に取り付けるための２個の末端プレート部品２３２ならびにｎ個の中間椎骨に取り付けるためのＮ椎間レベルを画定するｎ個の中間プレート部品２５０）とでＮ椎間レベルの頚椎プレートを形成し、さらには、各レベルが可動化（内部可動）を提供する方法を示す。したがって、各内部又は中間部分は、中間部分に対する末端プレート部品だけでなく、それら自体の間で可動化している。可動型１Ｌプレート２００は、組み合わされる、又はいっしょにされると開口、空隙又は窓１１７を提供する第一の部分２０２及び第二の部分２０４を特徴とする。開口１１７のサイズは、二つの部分２０２、２０４の互いに対する位置に依存して可変性である。各部分２０２、２０４は、取り付けられたとき滑動的に互いに嵌合して可動化を提供するＵ字形又は部分を画定する。この滑動は、ラチェットなどを用いなくとも様々な位置の間で滑らかに移行するよう、拘束されない。部分２０２、２０４それぞれは、椎骨ごとに１個の固定部を提供する。窓２１７は椎骨の間の区域を露呈させる。このような嵌合の構造は、図示するものから変更及び／又は逸脱してもよいことが理解されよう。
【００４８】
そのようなものとして、可動型プレート２３０は、２本支柱構造によって形成される細長い窓又は開口を有し、より具体的には、２本支柱構造によって形成される二つの窓を有する。可動型プレート２３０は、図１１では互いに対して分解した図で示されている３個の部品で構成される２椎間レベル（２Ｌ）プレートである。プレート２３０は、中間プレート部品２５０ならびに２個の末端プレート部品２３２ａ及び２３２ｂで形成されている。２個の末端プレート部品２３２ａ及び２３２ｂは同一である。中間部品２５０の構造とともに末端部品２３２を１８０°反転させると、可動型２Ｌプレートは２個の異なる部品を使用するだけで済む。したがって、Ｎ椎間レベルプレートを提供するためのキットは、２個の末端プレート部品及び複数の中間プレート部品だけを装備することになる。
【００４９】
各部品２３２ａは、上記のような骨スクリュー孔２３５ａ及び成形棚状部２３４ａを有する本体２３３ａによって画定される。固定クリップ１７０又はカバープレートボスのための保持孔２３６ａが二つの骨スクリュー孔の間に設けられている。本体２３３ａは、成形通路又は切欠き２３７ａを中に有する第一の脚部２３８ａを画定する。通路２３７ａの形状は、中間部品２５０の接合又は嵌合部品に対して横方向及び／又は上下方向の安定性を提供する。したがって、通路の構造は、本原理の下、適宜に変更することができる。この特定の形態では、通路２３７ａは、ドーブテール（dovetail）形に似た形に成形されている。本体２３３ａの第二の脚部２４４ａは、通路２３７ａのドーブテール形に似た形に成形されている。脚部２４４ｂ（脚部２４４ａと同一）が脚部通路２３７ａに受けられ、脚部２４４ａが脚部通路２３７ｂ（脚部通路２３７ａと同一）に受けられるため、末端部品２３２ａ及び２３２ｂは、中間部品２５０を使用せずに、可動型１Ｌプレートに接合又は組み立ることもできることが認められよう。
【００５０】
末端部品２３４ｂは、上記のような骨スクリュー孔２３５ｂ及び成形棚状部２３４ｂを有する本体２３３ｂによって画定される。保持クリップ又はカバーボスのための保持孔２３６ｂが二つの骨スクリュー孔の間に設けられている。本体２３３ｂは、成形通路又は切欠き２３７ｂを中に有する第一の脚部２３８ｂを画定する。通路２３７ｂの形状は、中間部品２５０の接合又は嵌合部品に対して横方向及び／又は上下方向の安定性を提供する。したがって、通路の構造は、本原理の下、適宜に変更することができる。この特定の形態では、通路２３７ｂは、ドーブテール形に似た形に成形されている。本体２３３ｂの第二の脚部２４４ｂは、通路２３７ｂのドーブテール形に似た形に成形されている。
【００５１】
中間又は拡張部品２５０は、ヘッドシート２５５を有する二つの骨スクリュー孔２５４及びボス孔２５６を有する本体２５２によって画定される。本体２５２はまた、成形通路２６０を中に有する第一の脚部２５８を含む。通路２６０は、部分２３２ａの成形脚部２４４ａ（又は別の拡張部品のフランジ２７２）を受け、したがって、適切に設計されている。本体２５２の第二の脚部２６２は、部分２３０の通路２３７ａ（又は別の拡張部品の通路２６８）の中に受けられるように設計されている成形フランジ２６４を受け、したがって、適切に設計されている。第三の脚部２７０は、部分２３２ｂの通路２３７ｂ（又は別の拡張部品の通路２６０）に受けることができる成形フランジ２７２を含む。本体２５２の第四の脚部２６６は、部分２３０の成形フランジ２４４又は別の拡張装置のフランジ２６４を受ける通路２６８を含む。この構造及び／又は中間部品２５０の、それ自体に対する、また末端部品２３２に対する相互関係が、Ｎ椎間レベル可動型プレートを組み立てる能力を提供する。２Ｌ可動型プレート２３０は、組み立てられると、中間部品２５０と各末端部品２３２との間に第一及び第二の窓、空隙又は開口２７５、２７７を画定する。脚部及びフランジは、組み立てられると、それぞれ同じ断面を有する。切頂三角形断面が装填安定性を提供する。
【００５２】
図１２は、全体を３００と指定する、可動型２椎間レベル頚椎プレート２３０の変形であるが、プレート２３０の特徴及び／又は機能を組み込んだ可動型２椎間レベル頚椎プレートのもう一つの典型的な実施態様を示す。そのようなものとして、２Ｌプレート３００は、組み立てられた１Ｌプレート又はＮ椎間レベルプレートを形成することができる部品を有する。プレート３００は、中間部品３０２ならびに第一及び第二の同一の末端部品３０４ａ、３０４ｂで形成されている。プレート２３０と同様に、可動型プレート３００は、２本支柱構造によって形成される細長い窓又は開口を有する。可動型プレート３００は、図１１で組み立てた状態で示される３個の部品で構成される２椎間レベル（２Ｌ）プレートである。プレート３００は、中間プレート部品３０２ならびに２個の末端プレート部品３０４ａ及び３０４ｂで形成されている。２個の末端プレート部品３０４ａ及び３０４ｂは同一である。中間部品３０２の構造とともに末端部品３０４を１８０°反転させると、可動型２Ｌプレートは２個の異なる部品を使用するだけで済む。
【００５３】
各部品３０４ａ／ｂは、上記のような骨スクリュー孔３３５ａ／ｂ及び成形棚状部３３４ａ／ｂを有する本体３３３ａ／ｂによって画定される。保持クリップ又はカバーボスのための保持孔３３６ａ／ｂが二つの骨スクリュー孔の間に設けられている。本体３３３ａ／ｂは、成形嵌合構造を上に有する第一の脚部３３８ａ／ｂを画定する。本体３３３ａ／ｂはまた、中間部品３０２の同様な成形脚部を受けるための通路を有する厚みを増した第二の脚部３４０ａ／ｂを画定し、その形状が、中間部品３０２の接合又は嵌合部品に対して横方向及び／又は上下方向の安定性を提供する。したがって、通路の構造は、本原理の下、適宜に変更することができる。末端部品３０４ａ及び３０４ｂは、中間部品３０２を使用せずに、可動型１Ｌプレートに接合又は組み立てることもできることが認められよう。
【００５４】
中間又は拡張部品３０２は、ヘッドシート３５５を有する二つの骨スクリュー孔３５４及びボス孔３５６を有する本体３５２によって画定される。本体３５２はまた、末端部品３０４ａの成形脚部３３８ａ（又は別の中間部品３５０のフランジ３６６）を受け、したがって、適切に設計されている通路を中に有する第一の厚みを増した脚部３５８を含む。本体３５２の第二の脚部３６４は、末端部品３０４ａの通路構造３４０ａ（又は別の中間部品の通路３６６）の中に受け、したがって適切に設計されているフランジを含む。第三の脚部３７２は、端部２３２ｂの通路構造３４０ｂ（又は別の中間部品の通路）の中に受けることができる成形フランジを含む。本体３５２の第四の脚部３６６は、末端部分３０４ｂの成形フランジ３３８ｂ又は別の中間部品のフランジを受ける通路構造を含む。この構造及び／又は中間部品３０２の、それ自体に対する、また末端部品３０４に対する相互関係が、Ｎ椎間レベル可動型プレートを組み立てる能力を提供する。２Ｌ可動型プレート３００は、組み立てられると、中間部品３０２と各末端部品３０４との間に第一及び第二の窓、空隙又は開口３０８、３１０を画定する。脚部及びフランジは、組み立てられると、それぞれ同じ断面を有する。
【００５５】
本発明の種々の可動型プレートは、所望のプレートレベルに依存して、多数の末端及び中間部品から組み立てられる。種々の部品は、互いに対して滑動的に相互接続される。プレート部品は、ひとたび組み立てられると、互いに対して滑動可能であるが、プレート部品がひとたび組み立てられると分解しないようにする分解ストッパ又は制止機構もしくは装置を有するということが理解されよう。分解制止機構は、２個のプレート部品の脚部アセンブリ（プレート部品の滑動的に接続された脚部）の互いに対する分解方向への移動の移動長を制約又は制限する。
【００５６】
このために、図１３を参照すると、本可動型プレート部品の典型的な分解制止機構が示されている。特に、図１３は、本発明の原理による２個の組み立てられた可動型プレート部品の２個の滑動的に相互接続される脚部３８０、３８２の拡大部分を示す。脚部３８０は、通路又は溝を備えた成形脚部であってもよく、その場合、脚部３８２は、フランジを備えた成形脚部であり、本明細書で記載するようにその逆も可能である。しかし、図１３を参照すると、アーム３８０は、適宜、成形通路アームと見なされ、アーム３８２は、必然的に、成形フランジアームと見なされる。また、距離及び長さは必ずしも実寸に比例しない、及び／又は、互いに対して比例しないということが理解されよう。
【００５７】
通路付きアーム３８０は、アーム３８０の溝の内部（図１３に示すように下面）に戻り止め３８４を有する。戻り止め３８４は、溝表面からアーム３８５の中までの距離を延び、必ずしもではないが好ましくは、鋭角的ないし丸みを帯びた頂点を有する直角三角形の形状にある。フランジ付きアーム３８２は、棚状部３８８によって画定されたへこみ付き又は切欠き区域又は部分３８５を含む。ここでもまた、必ずしもではないが好ましくは、鋭角的ないし丸みを帯びた頂点を有する直角三角形の形状にある戻り止め３８６が区域３８５の中に位置している。
【００５８】
組み立て中、戻り止め３８６は戻り止め３８４の左にある。戻り止めの高さは、各戻り止めの頂点が他方の戻り止めの頂点を越えて延びるような高さであるが、２個の戻り止め３８４、３８６が接触すると、それらの傾斜した表面が接触する。移動の継続が斜面を互いに対して滑動させる。したがって、戻り止め高さにおける小さな重なりが、ひとたび完全な組み立てが起こると、戻り止め３８４を区域３８５の中に存在させることができる。一つの移動方向で、戻り止め３８４は棚状部３８８と接するが、他方の移動方向では、戻り止め高さの違いが段を形成する。当然、組み立てを許すが、分解を防ぎ、又は分解をきわめて困難にする他のタイプの制止機構を使用してもよい。
【００５９】
上記の頚椎プレートは、種々の症状、たとえば少なくとも脊椎すべり症、骨折、脊椎狭窄症及び腫瘍の症状の場合に頚椎（Ｃ２〜Ｔ１）への前側スクリュー固定のためのものである。そのうえ、本明細書に記載する１Ｌ可動型プレートの構造及び／又は原理は、同じく本明細書に記載する種々の２Ｌ可動型プレートでも応用及び／又は利用することができることが理解されよう。同様に、本明細書で記載する２Ｌ可動型プレート構造を、本明細書で記載する１Ｌプレートで使用することもできる。これは、種々の脚部又は突出部の構造及びそれらの滑動的接続性に関して特に当てはまる。
【００６０】
各プレートは、必ずしもではないが好ましくは、チタン（たとえばＡＡＳＴＭ  Ｆ−１３６に準拠したチタン６Ａ１−４Ｖ  ＥＬＩ）から形成される。適切であるならば、他の適当な金属、セラミックスを使用してもよい。
【００６１】
一般に、本頚椎プレートの好ましい実施態様は、脊椎の解剖学的局面をより近く模すため、二つの面（正中面及び前額面）で湾曲を具現化する。頚椎プレートは、必要に応じて、湾曲を設けなくてもよいし、一つの面だけに湾曲を設けてもよい。プレートは、様々な脊椎に適応するよう、様々なサイズ（たとえば１４mm〜１１０mm）で製造される。プレートは、約１．８〜３．０mmの公称厚さ及び約１８mmの幅を有する。プレートは、約４．０〜４．５mmの直径を有する骨スクリューを受けるように設計される。そのうえ、プレートの骨スクリュー孔は、固定角骨スクリュー及び可変角骨スクリューの両方に適応するように設計される。これは、骨スクリュー孔の独特なポケット設計の使用によって達成される。骨スクリューは、一般的なスクリュードライバ（たとえばヘキサロビュラドライバ、×１０）を使用して固定される。
【００６２】
ひとたびプレートが適切な骨スクリューで装着されると、いくつかの方法によって骨スクリューを固定することができる。一つの方法では、１枚の固定プレートが１対のスクリューを固定する。固定プレートは、スクリューのヘッドに受けられる２個の成形フランジを有するプレートのカバープレート孔の中に固定される中心支柱を含む。もう一つの形態では、カバーは、骨スクリューのための一体型固定フランジを含む。カバー及び／又は固定フランジは、好ましくは、ＰＥＥＫ、プラスチック、合金又はチタンでできている。
【００６３】
プレートは、次のように使用することができる。４．０mm海綿質骨スクリュー又は４．３mm拡張スクリューを頭方向の孔に通して椎体に挿入することにより、プレートを頚椎の椎体の前側に配置する。次いで、スクリュー又は拡張スクリューをプレート中の尾方向孔に挿入し、頚椎の椎体に挿入する。次に、固定機構を１工程でプレート全体に挿入するか（たとえばカバー）、２個の固定機構をスクリューのセット（頭方向及び尾方向）ごとに挿入する。固定機構は所定の位置に嵌る。
【００６４】
本発明はまた、必ずしもではないが特に、本明細書に記載される頚椎プレートを使用する種々の方法によって患者の頚椎を動的に癒合させることを考慮する。一つのそのような方法は、患者の頚椎の適切な区域へのアクセスを許すため、患者にアクセス用の開創を設けることを含む。適宜、各椎骨間（レベル）の椎間板を取り出す（たとえば、１Ｌの場合は１個の椎間板、２Ｌの場合は２個の椎間板など）。次いで、骨グラフトを、椎間板を取り出したところの空間に配置するためにサイズ決めする。本明細書に記載されるような可動型頚椎プレートを脊椎（椎骨）へのインプラントのために選択する。選択される可動型頚椎プレートは、椎体の最良の解剖学的定着（動き）、たとえば０〜４mmを考慮してサイズ決めされる。選択し、サイズ決めした可動型プレートを、挿入した骨グラフトの上から椎骨に配置する。そして、正しい装着のために可動型プレート内の窓を介してグラフトを見る。正しい装着のために、各部分を順に完成させる。プレートは、プレート部品又はセグメント内の骨スクリュー孔に通して配置された骨スクリューによって、プレートを脊椎に固定する。各骨スクリューを取り付けたのち、固定機構を骨スクリュー／プレートの上に装着する。そして開創を閉じる。
【００６５】
頚椎を動的に癒合させるもう一つの方法は、可動型頚椎プレートを設けることを含み、設けられた可動型頚椎プレートの末端部品は、本発明の原理にしたがって互いの中又は上で滑動する多数の突出部（たとえば脚部）を使用して互いに対して動く。頚椎を動的に癒合させるもう一つの方法は、可動型頚椎プレートを設けることを含み、設けられた可動型頚椎プレートの末端部品は、本発明の原理にしたがって互いの中又は上で滑動する多数の突出部（たとえば脚部）を使用して中間セグメント／部品に対して動く。頚椎を動的に癒合させるもう一つの方法は、可動型頚椎プレートを設けることを含み、設けられた可動型頚椎プレートの中間セグメント／部品は、本発明の原理にしたがって互いの中又は上で滑動する多数の突出部（たとえば脚部）を使用して互いに対して動く。各プレートは、本明細書で提供するような中央のグラフト窓をその椎間レベルごとに設けている。
【００６６】
そのうえ、方法、たとえば上記のような方法のいずれもが、Ｎ椎間レベル可動型頚椎プレート、プレート構造物又はプレートキットを設けることを含むことができ、その末端セグメントは１８０°置換可能であり、中間セグメントは１８０°置換可能であり、末端セグメントと中間セグメントとは１８０°置換可能であり、末端セグメント及び中間セグメントは、互いの動きから独立して０〜４mm移動する、及び／又は、末端セグメント及び中間セグメントの動きは拘束されない。
【００６７】
本発明は、他のプレート及び／又はプレートシステムが提供しない、以下をはじめとするいくつかの主要な属性を提供する。
【００６８】
１．プレートの窓部分に配置された湾曲が、医師がプレートを椎体に対してより正確に整合させることを可能にする。
【００６９】
２．プレートの窓部分に配置された湾曲は、スクリュー孔の底がプレート窓の頂部と嵌合するため、医師が骨スクリューをより正確に配置することを可能にする。これは、プレートが正しく配置されているという明確な視覚的表示を提供する。
【００７０】
３．スクリュー孔は、スクリューを簡単に変更してプレートを可変角スクリュー／プレート構造物又は固定角スクリュープレート構造物として使用することを可能にする独特な形状を有する。
【００７１】
４．プレート構造物は、オプションとして骨スクリュー固定機構を使用してもよい。オプションのスクリュー固定機構は、必ずしもとはいえないが好ましくは、ＰＥＥＫ又はチタンでできた１部品スナップ嵌め式カバーである。
【００７２】
５．一つの形態で、オプションのスクリュー固定機構は、中間線孔の一つによって頚椎プレートの中に取り付けられる。固定機構は、一度に２個のスクリューを覆い、プロング状の軸を使用してプレートの中に固定される。半径方向の突出部（プロペラ状の構造）は、その延びた側の端部に、対応するスクリューと嵌合する歯を有する。歯はスクリュー内の浅い切り込み（the lobes）の中に固定されて、スクリューが回転し、後退することを防ぐ。この機構は、他の機構と同様、所定位置にスナップ嵌めされるが、適切な器具によって取り外し可能である。
【００７３】
６．本発明の可動型プレート形態は、癒合される椎体が、それらの間の中心にあるグラフトに定着することを可能にする。この新規な可動型プレート及び技術は、癒合されるセグメントが移動、定着又は沈静化することを可能にし、それが、より一定した骨−グラフト−骨間の接触を提供する。本可動型プレートの設計は、プレートの湾曲のおかげで、定着が解剖学的に起こることを可能にする。本体は、二つの別個の面の上で安定化方向に平行移動する（純粋な平行移動）。
【００７４】
７．本発明は、プレートの沈降を抑制する能力を提供する。これは、プレートが、隣接する健常な椎間板空間に移動することを防ぐために重要である。そのうえ、本発明は、偽関節につながるおそれのある非緩和的定着からのホスト末端プレート又はグラフトの崩壊を防ぐのに役立つ。
【００７５】
上記記載は、本発明の原理を例示するものに過ぎないということが理解されよう。したがって、本発明範囲内で他の実施態様が考慮される。
【００７６】
好ましい設計を有するものとして本発明を説明したが、本発明は、本開示の本質及び範囲の中でさらに改変することができる。したがって、本出願は、本発明の一般的原理を使用する本発明の変形、使用又は適用を包含することを意図する。さらに、本出願は、本発明が関連する技術における公知又は通例の実施の範囲であり、請求の範囲に該当するような本開示からの逸脱をも包含することを意図する。
【図面の簡単な説明】
【００７７】
【図１】本発明の原理にしたがって形成された１椎間レベル（１Ｌ）固定型骨固定プレートの典型的な実施態様の斜視図である。
【図２】図１の１椎間レベル（１Ｌ）固定型骨固定プレートの底面図である。
【図３】図１の１椎間レベル（１Ｌ）固定型骨固定プレートの斜視図であるが、本発明の局面にしたがって形成されたカバーを上に有する。
【図４】本発明の局面にしたがって形成された成形カバーを上に有する図１の１椎間レベル（１Ｌ）固定型骨固定プレートの斜視図である。
【図５】本発明の原理にしたがって形成された２椎間レベル（２Ｌ）固定型骨固定プレートの典型的な実施態様の斜視図である。
【図６】図５の２Ｌ固定型骨固定プレートの、６−６線断面図である。
【図７】図５の２Ｌ固定型骨固定プレートの、７−７線断面図である。
【図８】図５の２Ｌ固定型骨固定プレートを骨プレートスクリュー及び骨スクリュー保持クリップとともに含む２Ｌ構造物の斜視図である。
【図９】図８に示す骨スクリュー保持クリップの拡大斜視図である。
【図１０】本発明の原理にしたがって形成された１椎間レベル（１Ｌ）可動型骨固定プレートの典型的な実施態様の斜視図であり、１Ｌ可動型プレートをほぼ全開又は最大可動状態で示す。
【図１１】本発明の原理にしたがって形成された２椎間レベル（２Ｌ）可動型骨固定プレートの典型的な実施態様の斜視図であり、２Ｌ可動型プレートの各末端プレート部品を２Ｌ可動型プレートの中間プレート部品に対して分解した状態で示す図である。
【図１２】本発明の原理にしたがって形成されたもう一つの２Ｌ可動型骨固定プレートの典型的な実施態様の斜視図であり、本発明の原理にしたがって、２Ｌ可動型プレートは、その末端プレート部をその中間プレート部に対して分解した位置で示す。
【図１３】本可動型プレートで使用することができる典型的な拘束機構の拡大断面図である。
【図１】
2007515258.tif 000003
【図２】
2007515258.tif 000004
【図３】
2007515258.tif 000005
【図４】
2007515258.tif 000006
【図５】
2007515258.tif 000007
【図６】
2007515258.tif 000008
【図７】
2007515258.tif 000009
【図８】
2007515258.tif 000010
【図９】
2007515258.tif 000011
【図１０】
2007515258.tif 000012
【図１１】
2007515258.tif 000013
【図１２】
2007515258.tif 000014
【図１３】
2007515258.tif 000015
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
本体と、
本体の一端に設けられた骨スクリュー孔の第一の対と、
本体のもう一端に設けられた骨スクリュー孔の第二の対と、
骨スクリュー孔の第一の対と第二の対との間で本体を画定する固定ブリッジ部と、
本体の固定ブリッジ部に設けられ、骨スクリュー孔の第一の対と第二の対との間に延びるグラフト窓と、を含み、
グラフト窓が、その第二の寸法よりも大きく、本体の長手方向の軸に対応する第一の寸法を有する頚椎プレート。
【請求項２】
各骨スクリュー孔が、その中に配置された骨スクリューヘッドを回転捕捉し、可変性スクリュー角度設定を可能にするように設計された棚状物を含む、請求項１記載の頚椎プレート。
【請求項３】
スクリュー角度設定が、頭側〜尾側で３０°まで及び正中〜側面側で２０°までを含む、請求項２記載の頚椎プレート。
【請求項４】
グラフト窓が長楕円形である、請求項１記載の頚椎プレート。
【請求項５】
グラフト窓が楕円形である、請求項１記載の頚椎プレート。
【請求項６】
グラフト窓が涙形である、請求項１記載の頚椎プレート。
【請求項７】
本体中、骨スクリュー孔の第一の対の間に設けられた第一のボス孔と、
本体中、骨スクリュー孔の第二の対の間に設けられた第二のボス孔と
をさらに含み、第一及び第二のボス孔のそれぞれ一つが、骨スクリュー固定手段のボスを受けるように適合されている、請求項１記載の頚椎プレート。
【請求項８】
本体が、その固定ブリッジ部の中間部分において、骨スクリュー孔の第一の対と第二の対との間に骨スクリュー孔の第三の対を有し、中間部分が、骨スクリュー孔の第三の対と、第一の対及び第二の対の各一方との間で、グラフト窓を第一のグラフト窓と第二のグラフト窓とに分割する、請求項１記載の頚椎プレート。
【請求項９】
二つの面で湾曲を有する、請求項１記載の頚椎プレート。
【請求項１０】
平坦である、請求項１記載の頚椎プレート。
【請求項１１】
中心の突出部及び二つの外向きのプロングを有する本体を含み、
中心の突出部が、本体の長手方向の軸を概ね横切る方向に延び、頚椎プレートの骨スクリュー孔の対の間の中心孔に収まるように設計された少なくとも一つの頚椎プレート係合部を有するものであり、
二つの外向きプロングが、本体の長手方向の軸を概ね横切る方向に延び、頚椎プレートに収まった骨スクリューの対のそれぞれの骨スクリュー駆動ソケットの側へ延びて係合し、骨スクリューの回転を抑制するように適合されたものである骨スクリュー保持装置。
【請求項１２】
二つの外向きの突出部が、頚椎プレートに収まった骨スクリューの骨スクリュー駆動ソケットの浅い切り込み側と係合するように適合されている、請求項１１記載の骨スクリュー保持装置。
【請求項１３】
中心の突出部が、頚椎プレート中の骨スクリュー孔の対の間の中心孔に解放自在に収まるように設計されている、請求項１１記載の骨スクリュー保持装置。
【請求項１４】
本体が、生体適合性チタン、チタン合金、他の金属の合金、ＰＥＥＫ又は別の生体適合性材料の一つから形成されている、請求項１０記載の骨スクリュー孔。
【請求項１５】
第一の部品端に位置する骨スクリュー孔の第一の対及び第一の部品端から延びる成形脚部の第一の対を有する第一の部品と、
第二の部品端に位置する骨スクリュー孔の第二の対及び第二の部品端から延びる成形脚部の第二の対を有する第二の部品とを含み、
成形脚部の第一及び第二の対が、互いに非拘束滑動的相互接続性を示し、骨スクリュー孔の第一の対と第二の対との間の距離に依存して、サイズの変化するグラフト窓を画定する可動型頚椎プレート。
【請求項１６】
成形脚部の第一及び第二の対に対応し、第一及び第二の部品の分解を防ぐように設計された停止手段をさらに含む、請求項１５記載の可動型頚椎プレート。
【請求項１７】
第一の対の脚部の一方が、その中に設けられた第一の成形通路を有し、第一の対の脚部の他方が、第一の成形通路に受けられるように設計されており、第二の対の脚部の一方が、その中に設けられた第二の成形通路を有し、第二の対の脚部の他方が、第二の成形通路に受けられるように設計されている、請求項１５記載の可動型頚椎プレート。
【請求項１８】
第一の部品と第二の部品とが同一である、請求項１７記載の可動型頚椎プレート。
【請求項１９】
第一の部品の成形脚部の第一の対が、第二の部品の成形脚部からの突出部を受けるように適合されている、請求項１７記載の可動型頚椎プレート。
【請求項２０】
第一の部品が、成形脚部の第二の対の一方の成形脚部からの突出部を受けるように設けられた成形脚部の第一の対の一方の成形脚部及び成形脚部の第一の対のもう一方の成形脚部からの突出部を受けるように設けられた成形脚部の第二の対の他方の成形脚部を含む、請求項１７記載の可動型頚椎プレート。
【請求項２１】
第二の部品の成形脚部の第二の対が、第一の部品の成形脚部からの突出部を受けるように適合されている、請求項１７記載の可動型頚椎プレート。
【請求項２２】
脚部の第一の対の各脚部が、その中に設けられた成形通路を有し、脚部の第二の対の各脚部が、脚部の第一の対によって受けられるように設計されている、請求項１５記載の可動型頚椎プレート。
【請求項２３】
二つの面で湾曲を有する、請求項１５記載の可動型頚椎プレート。
【請求項２４】
平坦である、請求項１５記載の可動型頚椎プレート。
【請求項２５】
骨スクリュー孔の第一の対及び延展する脚部の第一の対を有する第一のプレート部品と、
骨スクリュー孔の第二の対及び延展する脚部の第二の対を有する第二のプレート部品と、
骨スクリュー孔の第三の対、一端から延び、第一のプレート部品の脚部の第一の対とで非拘束滑動的相互接続性を示す脚部の第三の対及びもう一端から延び、第二のプレート部品の脚部の第二の対とで非拘束滑動的相互接続性を示す脚部の第四の対を有する中間プレート部品と、
骨スクリュー孔の各対の間に画定され、それぞれのサイズが独立して変化するグラフト窓と
を含む可動型２椎間レベル頚椎プレート。
【請求項２６】
脚部の第一及び第三の対が、第一の部品と中間部品との間に第一のグラフト窓を形成し、脚部の第二及び第四の対が、第二の部品と中間部品との間に第二のグラフト窓を形成する、請求項２５記載の可動型２椎間レベル頚椎プレート。
【請求項２７】
脚部の第一の対と第二の対とが非拘束滑動的同軸相互接続性を示す、請求項２５記載の可動型２椎間レベル頚椎プレート。
【請求項２８】
窓が長楕円形である、請求項２５記載の可動型２椎間レベル頚椎プレート。
【請求項２９】
窓が円形である、請求項２５記載の可動型２椎間レベル頚椎プレート。
【請求項３０】
窓が楕円形である、請求項２５記載の可動型２椎間レベル頚椎プレート。
【請求項３１】
窓が涙形である、請求項２５記載の可動型２椎間レベル頚椎プレート。
【請求項３２】
第一の部品と第二の部品とが同一である、請求項２５記載の可動型２椎間レベル頚椎プレート。
【請求項３３】
二つの面で湾曲を有する、請求項２５記載の可動型頚椎プレート。
【請求項３４】
平坦である、請求項２５記載の可動型頚椎プレート。
【請求項３５】
骨スクリュー孔の第一の対及び延展する成形脚部の第一の対を有する第一の末端プレート部品を含み、
骨スクリュー孔の第二の対及び延展する成形脚部の第二の対を有する第二の末端プレート部品を含み、
骨スクリュー孔の中間対ならびに第三及び第四の反対方向に延びる成形脚部をそれぞれが有する２個以上の中間プレート部品を含み、第一の末端プレート部品の延展する成形脚部の第一の対が、２個以上の中間プレート部品の第一の部品の第三及び第四の延展する成形脚部のいずれか一方とで非拘束滑動的相互接続性を示し、第二のプレート部品の延展する成形脚部の第二の対が、２個以上の中間プレート部品の第二の部品の第三及び第四の延展する成形脚部のいずれか一方とで非拘束滑動的相互接続性を示し、第一及び第二の中間プレートが、第三及び第四の延展する成形脚部の他方との間で非拘束滑動的相互接続性を示すか、残りの中間プレート部品との第三及び第四の延展する成形脚部との間で非拘束滑動的相互接続性を示し、さらに
骨スクリューの各対の間に画定され、それぞれのサイズが独立して変化するグラフト窓を含む可動型多椎間レベル頚椎プレート。
【請求項３６】
椎間レベルごとにグラフト窓が設けられている、請求項３５記載の可動型多椎間レベル頚椎プレート。
【請求項３７】
脚部がすべて非拘束滑動的同軸相互接続性を示す、請求項３５記載の可動型多椎間レベル頚椎プレート。
【請求項３８】
窓が長楕円形である、請求項３５記載の可動型多椎間レベル頚椎プレート。
【請求項３９】
窓が円形である、請求項３５記載の可動型多椎間レベル頚椎プレート。
【請求項４０】
窓が楕円形である、請求項３５記載の可動型多椎間レベル頚椎プレート。
【請求項４１】
グラフト窓が涙形である、請求項３５記載の可動型多椎間レベル頚椎プレート。
【請求項４２】
第一の末端プレート部品と第二の末端プレート部品とが同一である、請求項３５記載の可動型多椎間レベル頚椎プレート。
【請求項４３】
中間プレート部品が同じである、請求項３５記載の可動型頚椎プレート。
【請求項４４】
中間プレート部品がその本体の面を中心に１８０°回転させても同じである、請求項３５記載の可動型頚椎プレート。
【請求項４５】
末端プレート部品がその本体の面を中心に１８０°回転させても同じである、請求項３５記載の可動型頚椎プレート。
【請求項４６】
二つの面で湾曲を有する、請求項３５記載の可動型頚椎プレート。
【請求項４７】
平坦である、請求項３５記載の可動型頚椎プレート。
【請求項４８】
Ｎ椎間レベル内部可動型頚椎プレートを組み立てるためのキットであって、
骨スクリュー孔の対及び成形末端プレート突出部の対をそれぞれが有する少なくとも２個の末端プレート部品と、
骨スクリュー孔の対及び反対方向に延びる成形中間プレート突出部の二つの対をそれぞれが有する複数の中間プレート部品と
を含み、反対方向に延びる成形中間プレート突出部の各対が、成形末端プレート突出部の各対とで非拘束滑動的相互接続性を示すように適合され、各中間プレート部品が、互いに非拘束滑動的相互接続性を示すように適合されており、
骨スクリュー孔の各対の間にグラフト窓が画定され、それぞれのサイズが独立して変化するキット。
【請求項４９】
末端プレート部品及び中間プレート部品が骨スクリュー孔の各対の間にグラフト窓を形成する、請求項４８記載のキット。
【請求項５０】
グラフト窓が長楕円形である、請求項４９記載のキット。
【請求項５１】
グラフト窓が円形である、請求項４９記載のキット。
【請求項５２】
グラフト窓が楕円形である、請求項４９記載のキット。
【請求項５３】
窓が涙形である、請求項４９記載のキット。
【請求項５４】
末端プレート部品が同一である、請求項４８記載のキット。
【請求項５５】
中間プレート部品が同一である、請求項４８記載のキット。
【請求項５６】
中間プレート部品がその本体の面を中心に１８０°回転させても同じである、請求項４８記載のキット。
【請求項５７】
末端プレート部品がその本体の面を中心に１８０°回転させても同じである、請求項４８記載のキット。
【国際調査報告】
2007515258.tif 000016
2007515258.tif 000017